(57)【要約】【課題】掃除口が突出している衛生設備機器以外にも使用することができ、且つ施工性の高い掃除口蓋及びそれを備えた衛生設備機器を提供する。【解決手段】掃除口の内径寸法より大きく掃除口の外側から差し込んで排水路の内側面に係止する差込部と、掃除口の内径寸法より大きく掃除口の外側端面に当接シールして掃除口を塞ぐシール部と、掃除口の内径寸法より小さく差込部とシール部との間を繋いでその内部が排水路と非連通の筒状の連繋部とを有し、弾性部材で形成されたパッキン部材と、シール部に設けられた開口部から挿入されることでパッキン部材内に配設され、差込部とシール部とに係止し、差込部とシール部とが近接するように移動させて掃除口に挟持固定するための挟持固定部材とを備え、挟持固定部材は、シール部に設けられた開口部から挿入され、連繋部を通過可能な状態から差込部の内側面に当接する状態へと変形する伸縮部を有する。【選択図】  図７
2015175204.tif 000002
【特許請求の範囲】
【請求項１】
衛生設備機器の排水路の内部と連通して外部に開口した掃除口を塞ぐ掃除口蓋であって、
前記掃除口の内径寸法より大きく前記掃除口の外側から差し込んで前記排水路の内側面に係止する差込部と、
前記掃除口の内径寸法より大きく前記掃除口の外側端面に当接シールして前記掃除口を塞ぐシール部と、
前記掃除口の内径寸法より小さく前記差込部と前記シール部との間を繋いでその内部が前記排水路と非連通の筒状の連繋部と、を有し、弾性部材で形成されたパッキン部材と、
前記シール部に設けられた開口部から挿入されることで前記パッキン部材内に配設され、前記差込部と前記シール部とに係止し、前記差込部と前記シール部とが近接するように移動させて前記掃除口に挟持固定するための挟持固定部材と、を備え、
前記挟持固定部材は、前記シール部に設けられた前記開口部から挿入され、前記連繋部を通過可能な状態から前記差込部の内側面に当接する状態へと変形する伸縮部を有することを特徴とする衛生設備機器の掃除口蓋。
【請求項２】
前記伸縮部は、使用者の操作によって前記連繋部を通過可能な状態へと収縮可能であり、弾性力によって前記差込部の内側面に当接する状態へと付勢されることを特徴とする請求項１記載の衛生設備機器の掃除口蓋。
【請求項３】
前記伸縮部は、本体部を中心として開閉し、閉状態において前記連繋部を通過可能な状態として前記シール部に設けられた前記開口部から挿入され、開状態において前記差込部の内側面に当接する状態となり、前記挟持固定部材が前記シール部へ向かう方向に移動した際には、前記差込部の前記掃除口側の内側面と当接することを特徴とする請求項１記載の衛生設備機器の掃除口蓋。
【請求項４】
請求項１乃至３の何れか１項に記載の掃除口蓋を備えた衛生設備機器。
【発明の詳細な説明】
【技術分野】
【０００１】
本発明は、掃除口付の衛生設備機器の掃除口を塞ぐ蓋構造、及びそれを備えた衛生設備機器に関する。
【背景技術】
【０００２】
従来、衛生設備機器においては、きわめて多量のペーパーあるいは紙おむつ、トイレットペーパーの芯などの異物を投入された場合や、誤ってペンや携帯電話などの異物を便器ボウル部内へ落とされた場合などに、そのまま洗浄動作等が行われてしまうと、衛生設備機器のトラップ内に異物が詰まってしまうという不具合が発生することがある。そのままの状況で更に数回続けて洗浄を行うと、汚水が逆流してしまう。
【０００３】
このように衛生設備機器のトラップ内に異物が詰まってしまった場合には、トラップ内に詰まった異物を取り除く必要がある。衛生設備機器を取り外すことなくトラップ内の異物を除去するための方策として、トラップ内に連通する掃除口を設けた衛生設備機器というものが用いられている。通常、衛生設備機器の掃除口は掃除口蓋によりふさがれているが、衛生設備機器内に異物つまりが発生した場合には、掃除口蓋を衛生設備機器より取り外し、衛生設備機器内の異物を除去できるようにしている。
【０００４】
衛生設備機器の掃除口蓋として、掃除口の内径寸法より大きく掃除口の外側から差し込んで排水路の内側面に係止する差込部と、掃除口の内径寸法より大きく掃除口の外側端面に当接シールして掃除口を塞ぐシール部と、掃除口の内径寸法より小さく差込部とシール部との間を繋ぐ排水路と非連通である筒状の連繋部とを有し弾性部材で形成されたパッキン部材と、連繋部内に配設され差込部とシール部とに係止し、差込部とシール部とが近接するように移動させて掃除口に挟持固定するための挟持固定部材とを備えたものが知られている（特許文献１）。このような掃除口蓋において、挟持固定部材を差込部へ押し付けながら固定作業することができるため、掃除口蓋の施工性が高い。
【０００５】
【特許文献１】特開２００３−３５５２号公報
【発明の開示】
【発明が解決しようとする課題】
【０００６】
このような掃除口蓋において、挟持固定部材を差込部へ挿入するためには、予め挟持固定部材をパッキン部材に挿入しておき、挟持固定部材を傾けながら、パッキン部材ごと衛生設備機器の掃除口に差し込んでいた。しかし、挟持固定部材を傾けながら掃除口に差し込むためには、パッキン部材の連繋部には一定以上の長さが必要となり、その結果、挟持固定部材を固定した後において、差込部とシール部との間に厚みが生じてしまう。そのため、このような掃除口蓋を設置する際には、差込部とシール部との間の厚みを相殺できるように、掃除口がある程度突出されている衛生設備機器でないと使用できないという課題が存在した。
【０００７】
そこで、本発明は、上述した課題を解決するためになされたものであり、掃除口が突出している衛生設備機器以外にも使用することができ、且つ施工性の高い掃除口蓋及びそれを備えた衛生設備機器を提供することを目的としている。
【課題を解決するための手段】
【０００８】
上述した目的を達成するために、本発明は、衛生設備機器の排水路の内部と連通して外部に開口した掃除口を塞ぐ掃除口蓋であって、前記掃除口の内径寸法より大きく前記掃除口の外側から差し込んで前記排水路の内側面に係止する差込部と、前記掃除口の内径寸法より大きく前記掃除口の外側端面に当接シールして前記掃除口を塞ぐシール部と、前記掃除口の内径寸法より小さく前記差込部と前記シール部との間を繋いでその内部が前記排水路と非連通の筒状の連繋部と、を有し、弾性部材で形成されたパッキン部材と、前記シール部に設けられた開口部から挿入されることで前記パッキン部材内に配設され、前記差込部と前記シール部とに係止し、前記差込部と前記シール部とが近接するように移動させて前記掃除口に挟持固定するための挟持固定部材と、を備え、前記挟持固定部材は、前記シール部に設けられた前記開口部から挿入され、前記連繋部を通過可能な状態から前記差込部の内側面に当接する状態へと変形する伸縮部を有することを特徴としている。
【０００９】
このように構成された本発明においては、掃除蓋の挟持固定部材が伸縮部を有しているために、連繋部を通過可能な状態としてパッキン部材に挿入することができ、挿入後、差込部の内側面に当接する状態とすることで、挟持固定部材を自立保持することができる。よって掃除蓋の取り外しのメンテナンス性を向上させることができる。
【００１０】
本発明において、好ましくは、伸縮部は、使用者の操作によって前記連繋部を通過可能な状態へと収縮可能であり、弾性力によって前記差込部の内側面に当接する状態へと付勢されるように構成されている。
【００１１】
このように構成された本発明においては、伸縮部は、弾性力によって挟持固定部材をパッキン部材の差込部の内側面に当接させて自立した状態に容易に固定することができ、単純な構造で挟持固定部材を保持することができる。
【００１２】
本発明において、好ましくは、前記伸縮部は、本体部を中心として開閉し、閉状態において前記連繋部を通過可能な状態として前記シール部に設けられた前記開口部から挿入され、開状態において前記差込部の内側面に当接する状態となり、前記挟持固定部材が前記シール部へ向かう方向に移動した際には、前記差込部の前記掃除口側の内側面と当接するように構成されている。
【００１３】
このように構成された本発明においては、本体部を中心に開状態になることでパッキン部材の差込部の内側面に当接させて自立した状態に容易に固定することができ、単純な構造で挟持固定部材を保持することができる。
【００１４】
本発明において、好ましくは、上述した掃除口蓋を備えた衛生設備機器である。
【００１５】
このように構成された本発明においては、掃除口蓋を施工しやすい衛生設備機器を提供できる。
【発明の効果】
【００１６】
本発明の衛生設備機器の掃除口蓋によれば、掃除口が突出している衛生設備機器以外にも使用することができ、且つ施工性の高い掃除口蓋及びそれを備えた衛生設備機器を提供することができる。
【図面の簡単な説明】
【００１７】
【図１】本発明の第一実施形態による掃除口蓋が設置された水洗大便器を示す外観図である。
【図２】本発明の第一実施形態による掃除口蓋が固定された水洗大便器の掃除口を示す断面図である。
【図３】本発明の第一実施形態によるパッキン部材が設置された水洗大便器の掃除口を示す断面図である。
【図４】本発明の第一実施形態において、挟持固定部材が伸張した状態を示す図である。
【図５】本発明の第一実施形態において、挟持固定部材が収縮した状態を示す図である。
【図６】本発明の第一実施形態において、収縮した挟持固定部材がパッキン部材の差込部に挿入された状態を示す断面図である。
【図７】本発明の第一実施形態において、伸張した挟持固定部材がパッキン部材の差込部に保持された状態を示す断面図である。
【図８】本発明の第二実施形態による掃除口蓋が固定された水洗大便器の掃除口を示す断面図である。
【図９】本発明の第二実施形態において、挟持固定部材が伸張した状態を示す図である。
【図１０】図８における挟持固定部材のＡＡ断面図である。
【図１１】本発明の第二実施形態において、収縮した挟持固定部材がパッキン部材の差込部に挿入された状態を示す断面図である。
【図１２】本発明の第二実施形態において、伸張した挟持固定部材がパッキン部材の差込部に保持された状態を示す断面図である。
【発明を実施するための最良の形態】
【００１８】
以下、本発明の一実施形態による衛生設備機器の掃除口蓋を、添付図面を参照して説明する。
【００１９】
本発明の実施形態において、衛生設備機器は水洗大便器１であり、壁掛け式、床置式等どちらにおいても適用できる。図１は、本発明の実施形態による掃除口蓋が設置された水洗大便器を示す外観図であり、床置き式の水洗大便器である。
【００２０】
掃除口２は、水洗大便器１の排水路（トラップ）４（図２参照）の最高位より下流側に設置されており、水洗大便器１側面から水洗大便器１の排水路４の内部に詰まった異物等の場所を発見し回収するためのものである。掃除口２の位置は実施例に示すような便器１側面に限定されず、水洗大便器１の排水路４に連通する部位であれば便器の背面であってもよい。掃除口２を水洗大便器１の排水路４の最高位よりも下流側に設けることで、便器の非洗浄時においては、掃除口２のある箇所まで便器の溜水は来ていない。そのため、非洗浄時に掃除口蓋６を開けることがあっても、溜水が掃除口２より流出して床面などを汚すおそれはない。
【００２１】
図２は、本発明の実施形態によるパッキン部材が設置された水洗大便器の掃除口を示す断面図である。本発明の実施形態において、掃除口蓋６は、パッキン部材８、挟持固定部材１０、ねじ１２、座金１４、キャップ１６により構成される（図３又は図８参照）。キャップ１６は略椀形状であり、中央に凹部２８を形成するとともにねじ１２を挿通するためのねじ用孔３０を有する。
【００２２】
パッキン部材８はＥＰＤＭなどの合成ゴムによって製造され、円形のシール部８ａと、シール部８ａに連続した連繋部８ｂと、この連繋部８ｂに連続した略シール部８ａの外縁部には円周方向に第１凸部２０を形成している。掃除口２に取付けられた状態で、排水路４の内面と接触する当たり部２２には第２凸部２４が一体に４カ所突設されている。
【００２３】
図３、４、５、６，７を参照して、上述した本発明の第一実施形態について説明する。図３は、本発明の第一実施形態による掃除口蓋が固定された水洗大便器の掃除口を示す断面図であり、図４は、本発明の第一実施形態において挟持固定部材が伸張した状態を示す図であり、図５は、本発明の第一実施形態において挟持固定部材が収縮した状態を示す図であり、図６は、本発明の第一実施形態において、収縮した挟持固定部材がパッキン部材の差込部に挿入された状態を示す断面図であり、図７は、本発明の第一実施形態において、伸張した挟持固定部材がパッキン部材の差込部に保持された状態を示す断面図である。
【００２４】
図３に示すように、本発明の第一実施形態において、挟持固定部材１０が差込部８ｃの掃除口２側の内側面と当接することで、掃除口蓋６の第２凸部２４が排水路４の内面と接触し、掃除口蓋６のシール部８ａの外縁部に設けられた第１凸部２０が掃除口２のシール面１８に密着されることで、掃除口２を塞ぐことができる。
【００２５】
図４に示すように、挟持固定部材１０は金属製部材であり、それぞれ２本の柱形状からなる第１固定部（伸縮部）１０ａ及び第２固定部（伸縮部）１０ｂと、第１固定部１０ａ同士、及び第２固定部１０ｂ同士を接続固定する補強部１０ｃと、第１固定部１０ａ及び第２固定部１０ｂから突出するように設けられたつまみ部１０ｄと、ねじ１２が螺合接続できるように内周面がねじ加工されたねじ止め孔１０ｅが設けられている中央部（本体部）１０ｆと、から構成されている。
【００２６】
挟持固定部材１０には弾性力を持った２本のばね１０ｇが内蔵されており、このばね１０ｇによって、第１固定部１０ａと第２固定部１０ｂとが互いに離れる方向へ、常に付勢されている（伸張状態）。また、挟持固定部材１０は、施工者によって第１固定部１０ａ及び第２固定部１０ｂに設けられたつまみ部１０ｄをそれぞれ近づけるように操作されることで、第１固定部１０ａと第２固定部１０ｂとを近づける方向へ動かすことができる（収縮状態）。
【００２７】
図４が挟持固定部材１０の伸張状態を表しており、図５が施工者の操作によって挟持固定部材１０の収縮状態を表している。挟持固定部材１０は伸張状態において長辺側の長さが連繋部８ｂの内径寸法よりも大きく、収縮状態において長辺側の長さが連繋部８ｂの内径寸法よりも小さくなるように設計されている。
【００２８】
キャップ１６は略椀形状であり、中央に凹部２８を形成するとともにねじ１２を挿通するためのねじ用孔３０を有する。
【００２９】
本発明の第一実施形態において、掃除口２への掃除口蓋６の取付は以下のように行う。
図２に示すように、パッキン部材８の差込部５１を掃除口２から挿入する。次に、パッキン部材８のシール部８ａに設けられた開口部８ｄから差込部８ｃへ挟持固定部材１０をはめ込む。その際、図６のように、挟持固定部材１０を施工者の操作によって収縮状態にすることで、連繋部８ｂ内を通過させ、差込部８ｃへ挿入させることができる。
【００３０】
挟持固定部材１０を差込部８ｃへ挿入させた後は、図７のように、施工者の操作を解除することで挟持固定部材１０を伸張状態にし、第１固定部１０ａ及び第２固定部１０ｂを差込部８ｃの内周面に当接させる。第１固定部１０ａ及び第２固定部１０ｂが差込部８ｃの内周面に当接されているため、挟持固定部材１０が掃除口蓋６の開口部８ｄへの挿入方向へ倒れてしまうことを防ぐ。
【００３１】
挟持固定部材１０の第１固定部１０ａ及び第２固定部１０ｂを差込部８ｃの内周面に当接させた伸張状態において、挟持固定部材１０の中央部１０ｆのねじ止め孔１０ｅにねじ１２を螺合接続させる。その後、パッキン部材８のシール部８ａを掃除口２のシール面１８と当接させて、キャップ１６をパッキン部材の上からかぶせ、座金１４を介して、キャップ１６の中央に開設されたねじ用孔３０にねじ１２を挿通する。次に、ねじ１２を回転させることで、ねじ１２と螺合しているねじ止め孔１０ｅの働きによって、キャップ１６へ近づく方向へ挟持固定部材１０が移動する。その結果、図３に示すように、挟持固定部材１０が差込部８ｃの掃除口２側の内側面と当接することで、掃除口蓋６の第２凸部２４が排水路４の内面と接触し、掃除口蓋６のシール部８ａの外縁部に設けられた第１凸部２０が掃除口２のシール面１８に密着されることで、掃除口２を塞ぐことができる。
【００３２】
ねじ１２を回転させるときには、ねじ１２、即ち挟持固定部材１０を掃除口蓋６の開口部８ｄへの挿入方向へ力を与えながら作業する必要があるが、その際、挟持固定部材１０の第１固定部１０ａと第２固定部１０ｂとが互いに離れる方向へ、常に付勢されている伸張状態によって、挟持固定部材１０が開口部８ｄへの挿入方向へ移動してしまうことを防ぐ。
【００３３】
つぎに、図８、９、１０、１１，１２を参照して、上述した本発明の第二実施形態について説明する。図８は、本発明の第二実施形態による掃除口蓋が固定された水洗大便器の掃除口を示す断面図であり、図９は、本発明の第二実施形態において、挟持固定部材が伸張した状態を示す図であり、図１０は、図８における挟持固定部材のＡＡ断面図であり、図１１は、本発明の第二実施形態において、収縮した挟持固定部材がパッキン部材の差込部に挿入された状態を示す断面図であり、図１２は、本発明の第二実施形態において、伸張した挟持固定部材がパッキン部材の差込部に保持された状態を示す断面図である。
【００３４】
図８に示すように、本発明の第二実施形態においても、挟持固定部材１０が差込部８ｃの掃除口２側の内側面と当接することで、掃除口蓋６の第２凸部２４が排水路４の内面と接触し、掃除口蓋６のシール部８ａの外縁部に設けられた第１凸部２０が掃除口２のシール面１８に密着されることで、掃除口２を塞ぐことができる。
【００３５】
図９、１０に示すように、本発明の第二実施形態において、挟持固定部材１００は、ねじ１２が螺合接続できるように内周面がねじ加工されたねじ止め孔１００ｅが設けられている中央部（本体部）１００ｆと、中央部１００ｆの側面に連結されている本体補助部材３２と、本体補助部材３２と回転ばね２６を介してそれぞれ接続されている第１固定部（伸縮部）１００ａ及び第２固定部（伸縮部）１００ｂと、から構成されている。
【００３６】
第１固定部１００ａ及び第２固定部１００ｂは、回転ばね２６の働きによって、回転ばね２６の中心線を軸に、それぞれ図９における矢印Ａ、Ｂ方向へ付勢されている。回転ばね２６によって付勢力を受けた第１固定部１００ａ及び第２固定部１００ｂは、中央部１００ｆにから延設されるように設けられたフランジ部３４に当接されることで、付勢による回転が規制されている（挟持固定部材１００の開状態）。
【００３７】
本発明の第二実施形態において、掃除口２への掃除口蓋６の取付は以下のように行う。
図２に示すように、パッキン部材８の差込部５１を掃除口２から挿入する。次に、図１１に示すように、パッキン部材８のシール部８ａに設けられた開口部８ｄから差込部８ｃへ挟持固定部材１００をはめ込む。その際、挟持固定部材１００を施工者の操作によって、回転ばね２６の中心線を軸に、それぞれ図１０における矢印Ａ、Ｂとは逆の方向へ力を加えることで、連繋部８ｂ内を通過できる状態（挟持固定部材１００の閉状態）にすることができ、その結果、差込部８ｃへ挿入させることができる。
【００３８】
挟持固定部材１００を差込部８ｃへ挿入させた後は、図１２のように、施工者の操作を解除することで挟持固定部材１００を開状態にし、第１固定部１００ａ及び第２固定部１００ｂを差込部８ｃの内周面に当接させる。第１固定部１００ａ及び第２固定部１００ｂが差込部８ｃの内周面に当接されているため、挟持固定部材１００が掃除口蓋６の開口部８ｄへの挿入方向へ倒れてしまうことを防ぐ。
【００３９】
挟持固定部材１００の第１固定部１００ａ及び第２固定部１００ｂを差込部８ｃの内周面に当接させた伸張状態において、挟持固定部材１００の中央部１００ｆのねじ止め孔１００ｅにねじ１２を螺合接続させる。その後、パッキン部材８のシール部８ａを掃除口２のシール面１８と当接させて、キャップ１６をパッキン部材の上からかぶせ、座金１４を介して、キャップ１６の中央に開設されたねじ用孔３０にねじ１２を挿通する。次に、ねじ１２を回転させることで、ねじ１２と螺合しているねじ止め孔１０ｅの働きによって、キャップ１６へ近づく方向へ挟持固定部材１０が移動する。その結果、図８に示すように、挟持固定部材１０が差込部８ｃの掃除口２側の内側面と当接することで、掃除口蓋６の第２凸部２４が排水路４の内面と接触し、掃除口蓋６のシール部８ａの外縁部に設けられた第１凸部２０が掃除口２のシール面１８に密着されることで、掃除口２を塞ぐことができる。
【００４０】
ねじ１２を回転させるときには、ねじ１２、即ち挟持固定部材１００を掃除口蓋６の開口部８ｄへの挿入方向へ力を与えながら作業する必要があるが、その際、第１固定部１００ａ及び第２固定部１００ｂが、回転ばね２６の働きによって、回転ばね２６の中心線を軸に、それぞれ図１０における矢印Ａ、Ｂ方向へ付勢される挟持固定部材１００の開状態によって、挟持固定部材１００が開口部８ｄへの挿入方向へ移動してしまうことを防ぐ。
【００４１】
以上より、上述した本発明の実施形態の掃除口蓋６によれば、掃除口２が突出している水洗大便器以外にも使用することができ、且つ施工性の高い掃除口蓋６を提供することができる。
【００４２】
本発明の実施形態においては、掃除口蓋６を水洗大便器１に設ける構成について説明したが、本発明は、このような構成に限定されるものではなく、掃除口蓋６を小便器や汚物流し等、どのような衛生設備機器に設けてもよい。
【００４３】
さらに、前述した各実施の形態が備える各要素は、技術的に可能な限りにおいて組み合わせることができ、これらを組み合わせたものも本発明の特徴を含む限り本発明の範囲に包含される。
【符号の説明】
【００４４】
１      水洗大便器
２      掃除口
４      排水路（トラップ）      
６      掃除口蓋
８      パッキン部材
８ａ      シール部
８ｂ      連繋部
８ｃ      差込部
８ｄ      開口部
１０、１００      挟持固定部材
１０ａ、１００ａ      第１固定部（伸縮部）
１０ｂ、１００ｂ      第２固定部（伸縮部）
１０ｃ      補強部
１０ｄ      つまみ部
１０ｅ、１００ｅ      ねじ止め孔
１０ｆ、１００ｆ      中央部（本体部）
１０ｇ      ばね
１２      ねじ
１４      座金
１６      キャップ
１８      シール面
２０      第１凸部
２２      当たり部
２４      第２凸部  
２６      回転ばね
２８      凹部
３０      ねじ用孔
３２      本体補助部材
３４      フランジ部
【図２】
2015175204.tif 000003
【図３】
2015175204.tif 000004
【図４】
2015175204.tif 000005
【図５】
2015175204.tif 000006
【図６】
2015175204.tif 000007
【図７】
2015175204.tif 000008
【図８】
2015175204.tif 000009
【図９】
2015175204.tif 000010
【図１０】
2015175204.tif 000011
【図１１】
2015175204.tif 000012
【図１２】
2015175204.tif 000013
【図１】
2015175204.tif 000014